【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
無線通信システムであって、
無線ネットワークと、
該無線ネットワークを介してアクセス可能なモバイル装置と、
該モバイル装置のモバイルメールボックスと、
該モバイル装置と該モバイルメールボックスとの間の該無線ネットワークを介したデータ通信を制御する無線サービスエンジンと、
複数の外部メールボックスと、
プリエンプティブ基準に基づいて、該複数の外部メールボックスと該モバイルメールボックスとの間で電子メールを更新するように構成されたポーリングエンジンであって、該プリエンプティブ基準は、該モバイルメールボックス内のメッセージの数と、該モバイルメールボックスのサイズとのうちの少なくとも１つを含み、該複数の外部メールボックスのうちのそれぞれの外部メールボックスは、それぞれのログインとパスワードとを用いてアクセスされ、該ポーリングエンジンは、プラスのトリガイベントとマイナスのトリガイベントとに基づく該ポーリングエンジン自身のポーリングレートに適応し、該プラスのイベントは、ポーリング間隔における減少を引き起こし、該マイナスのイベントは、該ポーリング間隔における増加を引き起こす、ポーリングエンジンと
を含む、無線通信システム。
【請求項２】
前記プラスのイベントは、前記複数の外部メールボックスのうちの１つの外部メールボックスからの新しいメッセージの受信を含む、請求項１に記載の無線通信システム。
【請求項３】
前記マイナスのイベントは、前記複数の外部メールボックスのうちのそれぞれの外部メールボックスによって行われる無効なログインまたはパスワード確認を含む、請求項１に記載の無線通信システム。
【請求項４】
少なくとも１つのメールサーバとモバイル通信装置または該モバイル通信装置のモバイルメールボックスとの間で電子メールを更新するポーリングエンジンであって、
該少なくとも１つのメールサーバから受信されたメッセージＩＤの内部データベースを格納するメモリと、
プロセッサであって、
該少なくとも１つのメールサーバから現行のプリエンプティブ基準を取り出すことと、
該現行のプリエンプティブ基準とあらかじめ格納されたプリエンプティブ基準とを比較することと、
該現行のプリエンプティブ基準が該あらかじめ格納されたプリエンプティブ基準に等しくない場合には、プラスのイベントに応答して、該少なくとも１つのメールサーバと該モバイル通信装置または該モバイルメールボックスとの間で該電子メールを更新し、マイナスのイベントに応答して、該少なくとも１つのメールサーバと該モバイル通信装置または該モバイルメールボックスとの間の該電子メールの該更新を先取りすることと
を行うように構成されている、プロセッサと
を含み、
該プリエンプティブ基準は、該メールボックス内のメッセージの数と、該メールボックスのサイズとのうちの少なくとも１つを含み、
該電子メールを更新することは、
該少なくとも１つのメールサーバからメッセージＩＤの現行のリストを取り出すことと、
該現行のリストと、以前のポーリングの結果として該データベース内に格納されたメッセージＩＤのリストとを比較することと、
該現行のリストが、該以前のポーリングの結果として該データベース内に格納されたメッセージＩＤのリスト内に存在しない場合に、該モバイル通信装置と該少なくとも１つのメールサーバとの間のデータの同期化に応答して、該現行のリスト内の任意のメッセージを新しいメッセージとして識別することと
を含む、ポーリングエンジン。
【請求項５】
無線通信システムであって、
無線ネットワークを介してアクセス可能なモバイル装置と、
該少なくとも１つのメールサーバと、該モバイル装置と該モバイル装置のモバイルメールボックスとのうちの少なくとも１つとの間で電子メールを更新するポーリングエンジンであって、
該ポーリングエンジンは、
該少なくとも１つのメールサーバから受信されたメッセージＩＤの内部データベースを格納するメモリを含み、
該少なくとも１つのメールサーバから現行のプリエンプティブ基準を取り出すことと、
該現行のプリエンプティブ基準とあらかじめ格納されたプリエンプティブ基準とを比較することと、
該現行のプリエンプティブ基準が該あらかじめ格納されたプリエンプティブ基準に等しくない場合には、プラスのイベントに応答して、該少なくとも１つのメールサーバと該モバイル通信装置または該モバイルメールボックスとの間で該電子メールを更新し、マイナスのイベントに応答して、該少なくとも１つのメールサーバと該モバイル通信装置または該モバイルメールボックスとの間の該電子メールの該更新を先取りすることと
が可能である、ポーリングエンジンと
を含み、
該プリエンプティブ基準は、該メールボックス内のメッセージの数と、該メールボックスのサイズとのうちの少なくとも１つを含み、
該電子メールを更新することは、
該少なくとも１つのメールサーバからメッセージＩＤの現行のリストを取り出すことと、
該現行のリストと、以前のポーリングの結果として該データベース内に格納されたメッセージＩＤのリストとを比較することと、
該現行のリストが、該以前のポーリングの結果として該データベース内に格納されたメッセージＩＤのリスト内に存在しない場合に、該モバイル通信装置と該少なくとも１つのメールサーバとの間のデータの同期化に応答して、該現行のリスト内の任意のメッセージを新しいメッセージとして識別することと
を含む、無線通信システム。
【請求項６】
前記ポーリングエンジンは、
複数の外部メールサーバと前記モバイル装置の前記モバイルメールボックスとの間で電子メールを更新することと、
該複数の外部メールサーバの各々から現行のプリエンプティブ基準を取り出すことと、
該複数の外部メールサーバのうちのそれぞれの外部メールサーバについて、該現行のプリエンプティブ基準とあらかじめ格納されたプリエンプティブ基準とを比較することと、
該複数の外部メールサーバのうちのそれぞれの外部メールサーバについて、該現行のプリエンプティブ基準が該あらかじめ格納されたプリエンプティブ基準に等しくない場合には、該複数の外部メールサーバのうちのそれぞれの外部メールサーバと該モバイルメールボックスとの間で該電子メールを更新し、あるいは、該現行のプリエンプティブ基準が該あらかじめ格納されたプリエンプティブ基準に等しい場合には、該複数の外部メールサーバのうちの該それぞれの外部メールサーバと該モバイルメールボックスとの間の該電子メールの該更新を先取りすることと
を行うように構成されており、
該プリエンプティブ基準は、該複数の外部メールサーバのうちのそれぞれの外部メールサーバの該メールボックス内のメッセージの数と、該メールボックスのサイズとのうちの少なくとも１つを含む、請求項５に記載の無線通信システム。
【請求項７】
前記モバイル装置と前記モバイルメールボックスとの間の前記無線ネットワークを介したデータ通信を制御する無線サービスエンジンを含む、請求項６に記載の無線通信システム。
【請求項８】
前記少なくとも１つのメールサーバは、ＰＯＰメールサーバである、請求項５に記載の無線通信システム。
【請求項９】
前記ポーリングエンジンは、前記プラスのトリガイベントとマイナスのトリガイベントとに基づく該ポーリングエンジン自身のポーリングレートに適応し、該プラスのイベントは、ポーリング間隔における減少を引き起こし、該マイナスのイベントは、該ポーリング間隔における増加を引き起こす、請求項６に記載の無線通信システム。
【請求項１０】
前記プラスのイベントは、前記複数の外部メールボックスのうちの１つの外部メールボックスからの新しいメッセージの受信を含む、請求項９に記載の無線通信システム。
【請求項１１】
前記マイナスのイベントは、前記複数の外部メールボックスのうちのそれぞれの外部メールボックスによって行われる無効なログインまたはパスワード確認を含む、請求項９に記載の無線通信システム。
【請求項１２】
少なくとも１つのメールサーバとモバイル通信装置または該モバイル通信装置のモバイルメールボックスとの間で電子メールを更新する方法であって、
該少なくとも１つのメールサーバから受信されたメッセージＩＤの内部データベースを格納することと、
ポーリングをトリガすることであって、
該少なくとも１つのメールサーバから現行のプリエンプティブ基準を取り出すことと、
該現行のプリエンプティブ基準とあらかじめ格納されたプリエンプティブ基準とを比較することと、
該現行のプリエンプティブ基準が該あらかじめ格納されたプリエンプティブ基準に等しくない場合には、プラスのイベントに応答して、該少なくとも１つのメールサーバと該モバイル通信装置またはモバイルメールボックスとの間で該電子メールを更新し、マイナスのイベントに応答して、該少なくとも１つのメールサーバと該モバイル通信装置または該モバイルメールボックスとの間の該電子メールの該更新を先取りすることと
を含む、ことと
を含み、
該プリエンプティブ基準は、該メールボックス内のメッセージの数と、該メールボックスのサイズとのうちの少なくとも１つを含み、
該電子メールを更新することは、
該少なくとも１つのメールサーバからメッセージＩＤの現行のリストを取り出すことと、
該現行のリストと、以前のポーリングの結果として該データベース内に格納されたメッセージＩＤのリストとを比較することと、
該現行のリストが、該以前のポーリングの結果として該データベース内に格納されたメッセージＩＤのリスト内に存在しない場合に、該モバイル通信装置と該少なくとも１つのメールサーバとの間のデータの同期化に応答して、該現行のリスト内の任意のメッセージを新しいメッセージとして識別することと
を含む、方法。
【請求項１３】
前記方法は、複数の外部メールサーバと前記モバイル装置の前記モバイルメールボックスとの間で電子メールを更新するように適応しており、
前記取り出すことは、該複数の外部メールサーバの各々から現行のプリエンプティブ基準を取り出すことを含み、
前記比較することは、該複数の外部サーバのうちのそれぞれの外部サーバについて、該現行のプリエンプティブ基準とあらかじめ格納されたプリエンプティブ基準とを比較することを含み、
該複数の外部メールサーバのうちのそれぞれの外部メールサーバについて、該現行のプリエンプティブ基準が該あらかじめ格納されたプリエンプティブ基準に等しくない場合には、該複数の外部メールサーバのうちの該それぞれの外部メールサーバと該モバイルメールボックスとの間で該電子メールを更新し、あるいは、該現行のプリエンプティブ基準が該あらかじめ格納されたプリエンプティブ基準に等しい場合には、該複数の外部メールサーバのうちの該それぞれの外部メールサーバと該モバイルメールボックスとの間の該電子メールの該更新を先取りする、請求項１２に記載の方法。
【請求項１４】
前記ポーリングをトリガすることは、前記プラスのトリガイベントとマイナスのトリガイベントとに基づく適応可能なポーリングレートにおいて行われ、該プラスのイベントは、ポーリング間隔における減少を引き起こし、該マイナスのイベントは、該ポーリング間隔における増加を引き起こす、請求項１２に記載の方法。
【請求項１５】
前記プラスのイベントは、前記メールボックスからの新しいメッセージの受信を含む、請求項１４に記載の方法。
【請求項１６】
前記マイナスのイベントは、前記メールボックスに対する無効なログインまたはパスワードの入力を含む、請求項１４に記載の方法。
【請求項１７】
前記ポーリングをトリガすることは、前記プラスのトリガイベントとマイナスのトリガイベントとに基づく適応可能なポーリングレートにおいて行われ、該プラスのイベントは、ポーリング間隔における減少を引き起こし、該マイナスのイベントは、該ポーリング間隔における増加を引き起こす、請求項１３に記載の方法。
【請求項１８】
前記プラスのイベントは、前記複数の外部メールボックスのうちの１つの外部メールボックスからの新しいメッセージの受信を含む、請求項１７に記載の方法。
【請求項１９】
前記マイナスのイベントは、前記複数の外部メールボックスのうちのそれぞれの外部メールボックスによって行われる無効なログインまたはパスワード確認の入力を含む、請求項１７に記載の方法。